(57)【特許請求の範囲】
【請求項１】
容器口筒部に、キャップ基体と、該キャップ基体に蝶番機構を介して取着されたオーバーキャップとからなるヒンジキャップを被嵌した飲料容器であって、
キャップ基体は、吸飲筒を装着し案内筒を有する注出筒を具えており、
案内筒は、縦溝と、縦溝の底部から上方に９０度の角度範囲に延びる傾斜溝とを具えており、
吸飲筒は、楕円形の頂壁と外周壁と、案内筒に係合し廻動可能な係合筒とを具え、
係合筒は、案内筒の縦溝と傾斜溝に係合案内される係合子を設けた係合杆が垂設されており、
吸飲筒が上下動とともに９０度の範囲で廻動自在に案内され、吸飲筒の上昇時に、吸飲筒が９０度廻動され、楕円形の長径方向が、オーバーキャップが位置する方向と一致するようにしたことを特徴とする飲料容器。
【請求項２】
ヒンジキャップがねじ式のキャップで、キャップ基体の側周壁の下端に切断可能な連結片を介して接続され、容器口筒部のねじ下端に係合する封印環を連設していることを特徴とする請求項１記載の飲料容器。
【請求項３】
ヒンジキャップが打栓式キャップで、キャップ基体の側周壁の所望の位置に切断可能な連結部を残してスリットとスリットに続く切欠部を形成し、キャップ基体の上壁に、側周壁に沿って切欠部に続く切断溝を刻設したことを特徴とする請求項１記載の飲料容器。
【請求項４】
キャップ基体の側周壁に、オーバーキャップの摘みに係合する係止部を設けた板体を切断可能な連結片と連結板を介して連設したことを特徴とする請求項１〜３のいずれかに記載の飲料容器。
【発明の詳細な説明】
【０００１】
【発明の属する技術分野】
本発明は、飲料容器、とくにキャップ本体に設けた注出筒にヒンジキャップを被嵌した飲料容器の吸飲筒に関する。
【０００２】
【従来の技術】
キャップ本体の上部に設けた注出筒に上下動可能な吸飲筒を被嵌し、注出口を開閉するようにした飲料容器は従来より周知である。
【０００３】
【発明が解決しようとする課題】
上記従来の飲料容器において、注出口から吸引するため、吸飲筒に直接口をつけるのでオーバーキャップを被せるようにしているが、吸飲中に取り外したオーバーキャツプを落としたり、見失うことがあるという問題があった。
これを避けるためにヒンジキャップを用いると、吸飲の邪魔になるという問題が生じるようになった。
【０００４】
本発明は、上記問題を解決することを課題とし、注出口の吸飲筒を廻動させつつ上昇させ、ヒンジキャップを口元の横に持ってきて吸飲するようにした、ヒンジキャップで吸飲筒を被蓋した飲料用容器を提供することを目的とする。
【０００５】
【課題を解決するための手段】
本発明は、上記の課題を解決するため、飲料容器として、容器口筒部に、キャップ基体と、該キャップ基体に蝶番機構を介して取着されたオーバーキャップとからなるヒンジキャップを被嵌した飲料容器であって、キャップ基体は、吸飲筒を装着し案内筒を有する注出筒を具えており、案内筒は、縦溝と、縦溝の底部から上方に９０度の角度範囲に延びる傾斜溝とを具えており、吸飲筒は、楕円形の頂壁と外周壁と、案内筒に係合し廻動可能な係合筒とを具え、係合筒は、案内筒の縦溝と傾斜溝に係合案内される係合子を設けた係合杆が垂設されており、吸飲筒が上下動とともに９０度の範囲で廻動自在に案内され、吸飲筒の上昇時に、吸飲筒が９０度廻動され、楕円形の長径方向が、オーバーキャップが位置する方向と一致するようにしたことを特徴とする構成を採用する。
【０００６】
ヒンジキャップの具体的実施例として、ヒンジキャップがねじ式のキャップで、キャップ基体の側周壁の下端に切断可能な連結片を介して接続され、容器口筒部のねじ下端に係合する封印環を連設していることを特徴とする構成、または、ヒンジキャップが打栓式キャップで、キャップ基体の側周壁の所望の位置に切断可能な連結部を残してスリットとスリットに続く切欠部を形成し、キャップ基体の上壁に、側周壁に沿って切欠部に続く切断溝を刻設したことを特徴とする構成を採用する。
【０００７】
ヒンジキャップのバージン保護機構として、キャップ基体の側周壁に、オーバーキャップの摘みに係合する係止部を設けた板体を切断可能な連結片と連結板を介して連設したことを特徴とする構成を採用する。
【０００８】
【発明の実施の形態】
次に、本発明の実施形態について、図面を参照して説明する。
図１において、Ａは容器口筒部、Ｂはヒンジキャップ、Ｃは吸飲筒、Ｄはバージン保護機構である。
容器口筒部Ａの外周には、ねじ１とねじ１の下端に続く突出環２と、ネックリング３が設けられている。
【０００９】
図１，２に示すように、ヒンジキャップＢは、キャップ基体Ｂ１と、蝶番機構Ｂ２によってキャップ基体Ｂ１に取着されたオーバーキャップＢ３とからなっている。
キャップ基体Ｂ１は、側周壁５と環状の上壁６と内周壁７、内周壁７の下端に連設された環状の隔壁８とを具えている。
側周壁５の内周には、容器口筒部Ａのねじ１に螺合するねじ９が螺設されており、下端には、切断可能な連結片１０によって接続され、突出環２に係合する封印環１１が連設されている。
【００１０】
側周壁５下端面と封印環１１の間には、側周壁５下端面にくさび形の係止片１２が垂設され、封印環１１上面には、係止片１２を挟んでくさび形の係合片１３ａ，ｂが立設され、その横には、邪魔板１４が立設されている。
封印環１１の下端内周には、突出環２の下側に係合する係止環１５が連設されている。
上壁６の上面には、上端に膨出環１６を設けた突出段部１７が形成されており、内周縁には、内周壁７から延びる筒体１８が立設されている。
【００１１】
隔壁８には、内周縁に沿って注出筒２０が立設されており、注出筒２０は下方の案内筒２１と、案内筒２１より縮径された上方の縮径筒２２とからなっている。
図２（ｂ）（ｃ）に示すように、案内筒２１の外周には、縦溝２３と、その下端から斜め上方に延び、９０度の角度範囲に配設された傾斜溝２４が刻設されており、縦溝２３と傾斜溝２４の下端近くには、係止突条２５，２６が設けられている。
傾斜溝２４に対応する案内筒２１の上端には、縦溝２３に向けて下降するよう傾斜した切欠き２７が設けられている。
【００１２】
縮径筒２２の上端外周には膨出環２８が設けられており、上端内周には複数の支持杆２９を介して栓部材３０が連設されており、栓部材３０と縮径筒２２内周との間に、注出流路３１が形成されている。
【００１３】
図３に示すように、吸飲筒Ｃは、頂壁３５と係合筒３６と、外周壁３７とを具えており、頂壁３５は楕円形状となっており、その中央には注出開口３８が穿孔され、周縁部は膨出部３９となっている。
【００１４】
係合筒３６の下端内周には、注出筒２０の縮径筒２２に嵌挿案内され、膨出環２８に係合する膨出環４０が設けられており、係合筒３６の下端には、楕円の長径に対応する位置に、下端に縦溝２３を通じて傾斜溝２４に嵌挿され、案内される係合子４１を設けた係合杆４２が垂設されている。
外周壁３７は、楕円の短径部では係合筒３６の外周から、長径部では頂壁３５の膨出部３９から垂下しており、下方部は、拡径された円筒４３となっている。
【００１５】
図１，２に示すように、蝶番機構Ｂ２は、ヒンジ４５とその両側に配設された波形の弾性板４６とからなっている。
オーバーキャップＢ３は、頂壁４７と側周壁４８とからなっており、ヒンジ４５の弾性板４６を介してキャップ基体Ｂ１に接続されている。
側周壁４８の蝶番機構Ｂ２の反対側の下端には、摘み４９が突設されている。
【００１６】
図４に示すように、バージン保護機構Ｄは、キャップ基体Ｂ１に連結片５０と連結板５１をもって連設され、ほぼ中央に、オーバーキャップＢ３の摘み４９に係合する係止部５２を設けた板体５３によって構成されている。
【００１７】
次に、本実施形態容器の使用態様と作用効果について説明する。
オーバーキャップＢ３の組立にあたっては、まず、吸飲筒Ｃがキャップ基体Ｂ１の注出筒２０に被嵌されるが、その際、吸飲筒Ｃの係合杆４２の係合子４１を縦溝２３に嵌挿し、押し下げていくと、係止突条２５を乗り越えて底部に達し、その位置が維持される。
嵌挿にあたって、案内筒２１の上端には切欠き２７が設けられているから、係合子４１は、切欠き２７の傾斜に沿って縦溝２３の上方部に案内され、嵌挿が容易となっている。
【００１８】
容器には飲料が充填され、バージン保護機構によって封印されたオーバーキャップで被嵌され、市場に出荷される。
その際、バージン保護機構Ｄが施されているので、店頭で、故意、過失により板体５３を取り外してヒンジキャップＢが開かれると、連結片５０、さらにまた、連結板５１が切断され、板体５３が変形するので、不正行為の有無を外観から直ちに識別することができる。
【００１９】
また、ヒンジキャップＢを廻動して上昇させると、連結片１０が切断され、側周壁５と封印環１１が分離され、その間隙が広がるので、不正行為の有無を外観から直ちに識別できる。
【００２０】
吸飲にあたっては、まず、バージン保護機構Ｄの板体５３を外方に引っ張り、連結片５０、連結板５１を切断してバージン保護機構ＤをはがしてヒンジキャップＢを開蓋する。
次いで、吸飲筒Ｃの円筒４３を反時計方向に廻すと、係合子４１が傾斜溝２４によって案内され、吸飲筒Ｃは、上昇と同時に廻動され、図５に示すように、最上昇位置では９０度廻動し、頂壁３５は楕円形の長径線ａがオーバーキャップＢ３の方向に一致する。
【００２１】
吸飲筒Ｃを口にくわえるときには、楕円長径部を横方向にしてくわえることになり、オーバーキャップＢ３が顔の横にきて、吸飲の妨げにならない。
その際、ヒンジキャップであるから、キャップ基体Ｂ１から取り外れることがなく、従来のように、オーバーキャップを紛失することはない。
吸飲が終わったときには、オーバーキャップＢ３を閉じて容器をしまっておく。
その際、吸飲筒Ｃは、オーバーキャップＢ３に被われているので、空気中の塵埃や雑菌が付着することがなく衛生的である。
【００２２】
収容された全ての飲料の吸飲が終わって、容器を廃棄するときには、ヒンジキャップＢを廻すと、側周壁５下端部の係止片１２が係合片１３ｂに乗り上げ、係合片１３ｂを押圧して側周壁５下端面と封印環１１との間の間隔を拡げるよう作用し、連結片１０を切断するとともに、封印環１１を側周壁５下端から切り離す。
ヒンジキャップＢをさらに廻動させると、容器口筒部Ａから取り外すことができ、容器とヒンジキャップＢを分別することができる。
【００２３】
次に、本発明の第２実施形態について説明する。
本実施形態は、前記第１実施形態におけるねじ式キャップに変え打栓式キャップを用いたもので、同一の構成については、同一の符号に添字ａを付して図示して説明を簡略にし、以下相違点を中心に説明する。
【００２４】
図６、７において、Ａａは容器口筒部、Ｂａはヒンジキャップ、Ｃａは吸飲筒、Ｄａはバージン保護機構である。
容器口筒部Ａａの外周には、嵌合突条６０とネックリング６１が突設されており、ヒンジキャップＢａは、キャップ基体Ｂ１ａとキャップ基体Ｂ１ａに蝶番機構Ｂ２ａによって取着されたオーバーキャップＢ３ａとからなっている。
【００２５】
キャップ基体Ｂ１ａは、側周壁６２と環状の上壁６３、内周壁６４と内周壁６４の下端に連設された環状の隔壁６５とを具えている。
図７に示すように、側周壁６２の蝶番機構Ｂ２ａに近い位置には、下端に連結部６６を残してスリット６７が穿設されており、スリット６７に続く切欠部６８が設けられている。
切欠部６８に対する側周壁６２には、複数の縦条６９が突設されており、摘み部７０を形成している。
【００２６】
図６に示すように、側周壁６２の内周には、スリット６７を除いて嵌合突条６０に係合する係合突条７１が設けられている。
上壁６３の下面には、側周壁６２に沿って、切欠部６８に続いて少なくとも１８０度を超える範囲に切断溝７２が刻設されており、上壁６３の上面には、上端周縁に膨出環を設けた係合リング７３が立設されており、内周縁に沿って内周壁６４から延びる筒体７４が立設されている。
【００２７】
隔壁６５の内周縁に沿って、前記第１実施形態と同様に、注出筒２０ａが立設されており、該注出筒２０ａは、根本部の案内筒２１ａと上部の縮径筒２２ａとからなっている。
案内筒２１ａの外周には、前記第１実施形態と同様に、吸飲筒Ｃａを案内する縦溝と傾斜溝が刻設されており、縮径筒２２ａには支持杆２９ａを介して栓部材３０ａが連設されている。
【００２８】
吸飲筒Ｃａは、前記第１実施形態と同様の注出開口３８ａを穿孔した楕円形の頂壁３５ａと、係合筒３６ａと外周壁３７ａとを具えている。
【００２９】
蝶番機構Ｂ２ａ、オーバーキャップＢ３ａおよびバージン保護機構Ｄａは、第１実施形態と同一である。
【００３０】
次に、第２実施形態の使用態様と作用効果について説明する。
本実施形態のヒンジキャップＢａは、飲料を充填した容器に打栓によって被嵌される点で第１実施形態と異なるが、使用態様とその際の作用効果は、前第１実施形態と同一である。
【００３１】
使用後の容器の廃棄にあたっては、切欠部６８部分から下の側周壁６２の摘み部７０を持って外方へ引き出し、引き廻していくと、上壁６３の切断溝７２が切り裂かれ、側周壁６２を容器口筒部Ａａの嵌合突条６０から離し、ヒンジキャップＢａを取り外すことができ、第１実施形態と同様に、分別廃棄ができる。
【００３２】
【発明の効果】
本発明は、上記のように構成されているから、次の効果を奏する。
飲料容器にヒンジキャップを装着し、キャップ基体の注出筒に、楕円形の頂壁を具えた吸飲筒を廻動自在に取着し、吸飲時に、楕円の長径方向にオーバーキャップがくるようにしたから、キャップが吸飲の妨げにならない。
【００３３】
ヒンジキャップを用いているから、開蓋時に、オーバーキャップは飲料容器から外れないので、落として紛失することがない。
【図面の簡単な説明】
【図１】本発明飲料容器の一部断面正面図である。
【図２】ヒンジキャップの説明図で、（ａ）は一部断面正面図、（ｂ）は注出筒の上面図、（ｃ）は案内筒の溝の展開図である。
【図３】吸飲筒の説明図で、（ａ）は一部断面正面図、（ｂ）は上面図である。
【図４】バージン保護機構の説明図で、（ａ）は正面図、（ｂ）は上面図である。
【図５】  容器の使用時の説明図で、（ａ）は吸飲筒の下降位置の斜視図、（ｂ）は吸飲筒上昇位置の斜視図である。
【図６】  別実施形態の容器の一部断面正面図である。
【図７】  別実施形態のキャップの側面図である。
【符号の説明】
Ａ、Ａａ      容器口筒部
Ｂ、Ｂａ      ヒンジキャップ
Ｂ１、Ｂ１ａ  キャップ基体
Ｂ２、Ｂ２ａ  蝶番機構
Ｂ３、Ｂ３ａ  オーバーキャップ
Ｃ、Ｃａ      吸飲筒
Ｄ、Ｄａ      バージン保護機構
１            ねじ
２            突出環
３、６１      ネックリング
５、６２      側周壁
６、６３      上壁
７、６４      内周壁
１０          連結片
１１          封印環
２０、２０ａ  注出筒
２１、２１ａ  案内筒
２２、２２ａ  縮径筒
２３          縦溝
２４          傾斜溝
２５、２６    係止突条
２７          切欠き
２９、２９ａ  支持杆
３０、３０ａ  栓部材
３１          注出流路
３５、３５ａ  頂壁
３６、３６ａ  係合筒
３７、３７ａ  外周壁
３８、３８ａ  注出開口
４１          係合子
４２          係合杆
５０          連結片
５１          連結板
５２          係止部
５３          板体
６０          嵌合突条
６６          連結部
６７          スリット
６８          切欠部
７０          摘み部
７１          係合突条
７２          切断溝
【図１】
0004187964.tif 000002
【図２】
0004187964.tif 000003
【図３】
0004187964.tif 000004
【図４】
0004187964.tif 000005
【図５】
0004187964.tif 000006
【図６】
0004187964.tif 000007
【図７】
0004187964.tif 000008